(57)【要約】【課題】視覚障害の利用者が利用しやすい非接触式自動改札機を提供する。【解決手段】非接触式自動改札機の本体のアンテナにタッチされ、又はそのアンテナにかざされた非接触券に記録されているデータを読取る読取手段と、読取られたデータ中から前記非接触券の所持者が視覚障害の利用者であることを示す所定のデータを抽出する抽出手段と、利用者が視覚障害の利用者であることを示す所定のデータが抽出されたときに、前記非接触式自動改札機の本体の利用の案内を音により行う音案内手段とを有する。【選択図】      図３
2004302832.tif 000002
【特許請求の範囲】
【請求項１】
非接触式自動改札機の本体のアンテナにタッチされ、又はそのアンテナにかざされた非接触券に記録されているデータを読取る読取手段と、
読取られたデータ中から前記非接触券の所持者が視覚障害の利用者であることを示す所定のデータを抽出する抽出手段と、
利用者が視覚障害の利用者であることを示す所定のデータが抽出されたときに、前記非接触式自動改札機の本体の利用の案内を音により行う音案内手段と、
を有することを特徴とする非接触式自動改札機。
【請求項２】
請求項１に記載の非接触式自動改札機において、非接触式自動改札機の本体は、入場及び出場の両方の処理を行う併用型であることを特徴とする非接触式自動改札機。
【請求項３】
請求項１又は２に記載の非接触式自動改札機において、音による案内はブザー音により行われることを特徴とする非接触式自動改札機。
【請求項４】
請求項２又は３に記載の非接触式自動改札機において、案内は、改札通路の反対側に利用者が存在していて改札通路内へ進入できないことであることを特徴とする非接触式自動改札機。
【発明の詳細な説明】
【０００１】
【発明の属する技術分野】
本発明は非接触式自動改札機に係り、特に、視覚障害の利用者も利用しやすいようにしたものに関する。
【０００２】
【従来の技術】
近年、首都圏を中心とした鉄道においては、乗車券を無線通信機能を備えたＩＣカードからなる非接触券とし、この非接触券を処理することのできる非接触式自動改札機が使用されている。
【０００３】
この非接触式自動改札機は、利用者（旅客）によって非接触券が非接触式自動改札機の本体に設けられているアンテナに軽くタッチ又はそのアンテナにかざされると、非接触券と非接触式自動改札機の本体との間でデータ授受が行われるように構成されている。そして、非接触式自動改札機の本体では、非接触券から得られた定期券データや残額データ等のカードデータに基づいて入出場（入場又は出場を意味している。）のための所定の演算処理が行われ、その演算処理の結果、入出場を許可できるときは、ドアが開かれて（非接触式自動改札機の本体がノーマルオープン型のときはそのまま）、改札通路の通過が許可され、その演算処理の結果、入出場を許可できないときは、ドアが閉じられて改札通路の通過が阻止されるように構成されている。
【０００４】
また、近年、バリアフリー化の進展に伴って駅務機器もバリアフリーとされている。例えば、自動券売機は、視覚障害の利用者や老人等の弱者であっても容易に乗車券が購入できるように音声案内されるように構成されている（特許文献１，２参照。）。
【０００５】
【特許文献１】特開２０００−９９７７０号公報
【特許文献２】特開２０００−２９３７１８号公報
【０００６】
【発明が解決しようとする課題】
ところで、上記非接触式自動改札機は、磁気券を投入して入出場処理する投入型の自動改札機に比べて視覚障害の利用者が使用しづらいという欠点があった。すなわち、投入型の自動改札機は、使用が禁止されているとき、例えば、自動改札機が入場も出場も処理する併用型の場合、改札通路の反対側の利用者が先に乗車券（磁気券）を投入したとき、投入口がシャッタで閉じられるので、利用者（視覚障害者）は、自動改札機を使用することができないことを容易に知ることができるが、非接触式自動改札機の場合は、投入口を有していないので、視覚障害の利用者は、非接触式自動改札機が使用できるか否かを知ることができなかった。
【０００７】
そこで、本発明は、上記欠点を解決するためになされたものであって、その目的は、視覚障害の利用者が非接触式自動改札機の本体の状態を容易に知ることのできる非接触式自動改札機を提供することにある。
【０００８】
【課題を解決するための手段】
本発明に係る非接触式自動改札機は、上記目的を達成するために、請求項１に記載の発明は、非接触式自動改札機の本体のアンテナにタッチされ、又はそのアンテナにかざされた非接触券に記録されているデータを読取る読取手段と、読取られたデータ中から前記非接触券の所持者が視覚障害の利用者であることを示す所定のデータを抽出する抽出手段と、利用者が視覚障害の利用者であることを示す所定のデータが抽出されたときに、前記非接触式自動改札機の本体の利用の案内を音により行う音案内手段と、を有することを特徴としている。
本発明の請求項２に記載の非接触式自動改札機は、非接触式自動改札機の本体は、入場及び出場の両方の処理を行う併用型であることを特徴としている。
本発明の請求項３に記載の非接触式自動改札機は、音による案内はブザー音により行われることを特徴としている。
本発明の請求項４に記載の非接触式自動改札機は、案内は、改札通路の反対側に利用者が存在していて改札通路内へ進入できないことであることを特徴としている。
【０００９】
【発明の実施の形態】
以下、本発明の実施の形態を図面に基づいて説明する。図１（ａ）は、一実施の形態に係る非接触式自動改札機の本体（以下、「改札機本体」という。）Ｇを構成する一対の筐体Ｈ１  ，Ｈ２  のうちの一方の筐体Ｈ１  の斜視図、同図（ｂ）は、改札機本体Ｇの平面図である。この改札機本体Ｇは、入場も出場も処理できる併用型に構成されている。各筐体Ｈ１  ，Ｈ２  は同一構成であるので、以下、筐体Ｈ１  を例に説明すると、この筐体Ｈ１  の上面には、非接触券Ｃと交信するためのアンテナａ１  （他方の筐体Ｈ２  に設けられているアンテナはａ２  ）が設けられている。
【００１０】
筐体Ｈ１  の改札通路Ｐの入口側には、改札機本体Ｇの使用状態、つまり改札通路Ｐを通過できるか否かを利用者に表示するための表示部１が設けられている。また、図１中、Ｓ，Ｓ…は、改札通路Ｐへの利用者の進入又は改札通路Ｐからの退出、あるいは、通過を検知するための光電式の人間検知器であって、筐体Ｈ１  の側面に所定の間隔を保って設けられている。さらに、この人間検知器は、筐体Ｈ１  の上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１１】
筐体Ｈ１  の側面には、利用者に対してブザー及び音声により所定の案内をアナウンスするためのスピーカ３が取付けられているとともに、その筐体Ｈ１  の側面の改札通路Ｐの出口側及び進入側には、ドアＤ１  ，Ｄ２  がそれぞれ設けられている。また、筐体Ｈ１  の上面のほぼ中央部には、利用者に対して文字により所定の案内を行うための表示画面４が取付けられている。
【００１２】
図１（ａ）中、５は、改札機本体Ｇの動作を司どる制御器であり、マイクロコンピュータを中心に構成されている。そして、この制御器５には、非接触券Ｃとの間でデータの授受を行うための上述のアンテナａ１  を接続したリーダライタＲ（後述の図２参照）が接続されている。
【００１３】
図２は、筐体Ｈ１  改札機本体Ｇに設けられている制御器５及び非接触券Ｃの電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１  ，Ｄ２  を駆動制御するドア駆動ユニット２４と、スピーカ３を駆動制御す音声駆動ユニット２５と、人間検知器Ｓ，Ｓ…、Ｓ′，Ｓ′…の検知信号を入力するための人間検知器ユニット２６とが接続されている。なお、Ｉ／Ｏユニット２３には、表示画面４を駆動する表示画面駆動ユニット等も接続されているがここでは省略されている。
【００１４】
リーダライタＲには、非接触券Ｃと交信を行うためのアンテナａ１  が接続されている。このアンテナａ１  は、非接触券Ｃとデータ授受を行う機能と、非接触券Ｃに電力を供給する機能とが備えられている。なお、図示しないが、筐体Ｈ２  にも同様の制御器が設けられていて、後述する利用者ロの所持する非接触券を処理できるように構成されている。
【００１５】
非接触券Ｃは、無線通信機能を有するＩＣカードと同様に構成されている。すなわち、この非接触券Ｃには、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ストアードフェアカード（ＳＦカード）データ及びカードＩＤデータ等の所定のカードデータの記録されているメモリ３３と、改札機本体Ｇからの電力波をアンテナＡを介して受信し、非接触券Ｃの駆動電力を生成する電力生成回路３４とを有している。上記メモリ３３には、上述のカードデータの他に、その非接触券Ｃの所持者が視覚障害の利用者であるときにその旨を示す所定のデータが記憶されている。（図２の下部参照）。
【００１６】
以下、図４のフローチャートを用いて制御動作について説明する。今、視覚障害の利用者イ（図１（ｂ）参照）が非接触券Ｃをアンテナａ１  に軽くタッチして又はそのアンテナａ１  にかざして（以下、タッチで説明する。）入出場しようとしているものとする（ステップ１００肯定。以下、ステップを「Ｓ」とする。）。
【００１７】
非接触券Ｃがアンテナａ１  にタッチされると、その非接触券Ｃに記録されている定期券データ等のカードデータが読取られる。その読取られたカードデータ中に視覚障害者を示す所定のデータが含まれているときは（Ｓ１０４肯定）、その非接触券Ｃの所持者は視覚障害の利用者と判定される。
【００１８】
併用型の改札機本体Ｇにおいては、先にアンテナにタッチした方に優先権が与えられるので、利用者イがアンテナａ１  にタッチしたときに既に反対側の利用者ロ（図１（ｂ）参照）がアンテナａ２  にタッチしているとき、又は、その利用者ロが改札通路Ｐ内に進入していることが人間検知器Ｓ，Ｓ…、Ｓ′，Ｓ′…で検知されているときは（Ｓ１０６）、利用者イの処理はできないので、利用者イに対して処理できない旨を示す所定のブザー音（例えば「ブー」の長音）とともに、反対側の利用者ロの処理が終了するまで待つようにとの音声による案内が行われる（Ｓ１０８）。なお、本発明では、改札通路の反対側に利用者が存在しているときというときは、その利用者が先に非接触券をアンテナにタッチしたとき、又は、その利用者が先に改札通路に進入したときの両方を含んでいる。したがって、利用者イは、上述のような案内をスピーカ３から受けたときは、利用者ロの処理を待って、再度、非接触券Ｃをアンテナａ１  にタッチして処理することとなる。
【００１９】
改札通路Ｐの反対側に利用者が存在せず、アンテナａ１  にタッチしたときのデータ授受で入出場の演算処理が行われ、その演算処理の結果、入出場を許可できないときは（Ｓ１０６否定、Ｓ１１０否定）、ドアＤ１  が閉じられて入出場が拒否されるとともに、スピーカ３からは、入出場が拒否された旨の所定のブザー音（例えば「ブッブッブッ…」の断続音）が鳴り、また、その拒否の理由（例えば、有効期間切れ、乗越し、残額不足等）が音声により案内される（Ｓ１１２、Ｓ１１４）。したがって、利用者イは、その案内に従って精算処理等の適切な対応をとることができる。
【００２０】
上述の演算処理の結果、入出場を許可できるときは（Ｓ１１０肯定）、入出場が許可された旨の所定のブザー音（例えば「ピンポーン」）とともに、通過できる旨の音声案内がスピーカ３を介して案内される。
【００２１】
なお、上述の例では、案内をブザー音と具体的な内容の音声案内とで行ったが、いずれか一方とすることができる。また、これら案内は、利用者が視覚障害者のときのみ行ったが健常者に対しても行ってもよい。さらに、上述の例では、改札機本体Ｇは、非接触券Ｃのみを処理する専用型としたが、非接触券及び磁気券をも処理することのできる兼用型であってもよい。
【００２２】
【発明の効果】
本発明の請求項１に記載の非接触式自動改札機は、改札機本体のアンテナにタッチされ、又はそのアンテナにかざされた非接触券に記録されているデータを読取る読取手段と、読取られたデータ中から前記非接触券の所持者が視覚障害の利用者であることを示す所定のデータを抽出する抽出手段と、利用者が視覚障害の利用者であることを示す所定のデータが抽出されたときに、前記改札機本体の利用の案内を音により行う音案内手段とを有するので、視覚障害の利用者に優しい非接触式自動改札機とすることができる。
本発明の請求項２に記載の非接触式自動改札機は、改札機本体を入場及び出場の両方の処理を行う併用型としたので、併用型の非接触式自動改札機の案内を効果的に行うことができる。
本発明の請求項３に記載の非接触式自動改札機は、音による案内はブザー音により行われるので、簡単に実施することができる。
本発明の請求項４に記載の非接触式自動改札機は、案内は、改札通路の反対側に利用者が存在していて改札通路内へ進入できないときに行われるので、利用者に対してきめ細かな案内を行うことができる。
【図面の簡単な説明】
【図１】（ａ）は、本発明の一実施の形態に係る改札機本体を構成する一対の筐体のうちの一方の筐体の斜視図、（ｂ）は、一対の筐体の平面図である。
【図２】制御器及び非接触券のブロック図である。
【図３】制御動作を示すフローチャートである。
【符号の説明】
Ｇ  自動改札機の本体（改札機本体）
Ｈ１  ，Ｈ２    筐体
Ｄ１  ，Ｄ２    ドア
Ｐ  改札通路
Ｓ，Ｓ′  人間検知器
ａ  アンテナ
Ｃ  制御器
２  センサ取付ボックス
３  スピーカ
４  表示画面
【図１】
2004302832.tif 000003
【図２】
2004302832.tif 000004
【図３】
2004302832.tif 000005